(57)【要約】【課題】  「モノづくり」に産業革命以来、われわれはどのくらいの温暖化削減に貢献してきただろうか。現在のように、石油、石炭の化石燃料を主とするエネルギー源を使い続ける高成長社会シナリオだと、地球規模での海面上昇の浸水、洪水、暴風雨、豪雨の異常気象が激化し、経済社会に甚大な影響が予想される。【解決手段】  磁石を材料とするモーターでのエネルギーは前述の石油、石炭によるエネルギーに頼らない自家発電である。また、水素ガス発生装置も環境にやさしい再生可能なエネルギー「水」である。国際合意に基づき、各国に割り当てられた排出削減義務を達成するために、国内の企業や工場、家庭、オフィス、運輸、物流などに使用される水素ガスを認識させ、効率化を目指すものである。【特許請求の範囲】
【請求項１】
クリーンなエネルギーである水素ガス、その水素を精製する装置と貯蔵方法。
【請求項２】
「請求項１」での動力源であるモーターの発電装置。
【請求項３】
モーターを回転させ電力発生装置のシステム化。
【請求項４】
磁石の材料は希土類の粉末に数種の元素を数パーセント混合したもの。
【請求項５】
「請求項４」原材料を射出成形法による、ＯＮＥ−ＳＴＥＰによるもの。
【請求項６】
水素発生に使用する材料は希土類化合物。
【請求項７】
モーターの動力源もクリーンエネルギーである。
【請求項８】
水素ガスのガソリン自動車、ヂィーゼル自動車に利用法。
【請求項９】
水素ガスを火力としての利用法とその貯蔵法。
【発明の詳細な説明】
【発明の詳細な説明】
【技術分野】
【０００１】    この発明は、熱エネルギー、機械エネルギー、電気エネルギーや化学エネルギーなど  の相互変換媒体としての果たすこともでき、多くの機能特性を持つ新素材である。すな  わち化学、物理、金属、機械、電気など各分野において機能材料として利用されるもの  である。
【背景技術】
【０００２】    水素エネルギー技術は二次的なエネルギーとして、一次的なエネルギーシステムとし  ては、原子力あるいは太陽エネルギーを主力として考えられていた。従って、そこから  得られるエネルギー形態は熱エネルギーとその変換による電気エネルギーが中心として  二次的に考えられていた。【０００３】
【参考文献１】
大角  泰明  著  「金属水素化物」「化学工業社」、昭和５８年１２月２５日、Ｐ４−３２
【参考文献２】
副島  一之  編他３人  「ハンディブック電気」「オーム社」昭和３９年３１日
【参考文献３】
Ｊｏｈｎ  Ｅｍｓｌｅｙ著  「元素の百科事典」「丸善」  平成１５年７月２５日
【参考文献４】
国友  順一  著他５人  「わかりやすい有機化学」「廣川書店」昭和６１年４月１日
【発明を実施するための形態】
【０００４】  本発明は、一昨年の原子力発電所事故、円安による輸入品である、石油、石炭、ガス等の値上がりによる電力料金の値上がり、自動車で使用するガソリン、ガス料金の値上がりに庶民はどうすることも出来ない。
【０００５】    電気による動力は、原子力がなくなり、石油、石炭を燃焼させて蒸気による動力でタ  ービンを回して動力とするが結果は二酸化炭素や硫黄酸化物と公害排出して環境に温暖  化現象の源となる。
【０００６】    昨年末には、京都議定書の日本の排出ガス削減公約も出来ず、見直しをせざる得なく  なり、世界とどうするのかの問題多大である。
【０００７】    また、モーター自身で電力作ること。すなわち、二つのモーターを直結して他方から  エネルギーを作りだす。
【０００８】    水素もモーターも電力としてのエネネルギーを発生するが、その結果、燃料として消  費したとき、残るのは水滴と炭酸ガスや一酸化炭素もゼロ。硫黄酸化物も出さず環境に  優しいエネルギーである。
【発明が解決しようと課題】
【０００９】  使用目的に適した量のエネルギーを地震や非常時に使用できるエネルギーを移動可能な装置であること。燃料はどこでも入手果可能なものである。
【００１０】  磁力の強い磁石は希土類金属に数種の数パーセントの混合化合物真空焼結されたもので  ある。
【００１１】    強力な磁石でダイナモ（直流発電機）とアルターネーター（交流発電機）を併用した  発電機である。
【００１２】  ガソリン自動車やヂィーゼル自動車等にはそのバッテリーを使用するが、同時に水素が  発生して、その水素はキャブレターに直接に挿入される。
【００１３】    従来の水素発生はコスト高で、貯蔵するにも市販の容器で十分である。その発生源は  水である。
【００１４】    家庭や野外での火力として使用するときは、水素発生装置は小型バッテリーと水さえ  あれば可能である。
【００１５】    各家庭に非常用以外にも水素発生装置は容量を精製可能である。
【問題を解決するための手段】
【００１６】    従来の発電機は水力から石油、ガスそして原子力となってきたが、同じ発電機でも使  用する燃料はバッテリー（電力）や水素である。これには次の特徴がある。大がかりで  なく、費用も安価にできることによる。
【００１７】    「００１６」の構成を次に示す。
水力発電には、二つに大別される。落差を得る方法（ダム式、水路式、ダム水路式、  流域変更式）と、河川流量（流れ込み式、調整池式、貯水池式、揚水式）の方法。
【００１８】    火力発電のあらましは、石炭のエネルギー（ボイラー）、蒸気のエネルギー（蒸気タ  ービン）、機械エネルギー（発電機）、電気のエネルギーとなる。
【００１９】    重油のエネルギー（ヂィーゼル機関）、機械のエネルギー）（発電機）、電気エネル  ギーとなる。
【００２０】    ガスタービン発電のエネルギー変換は、軽油・重油・天然ガスのエネルギー（燃焼）  、燃焼ガスエネルギー（ガスタービン）、機械のエネルギー（発電機）、電気エネルギ  ーとなる。
【００２１】    原子力の発生の原理は、ウラン、トリウムなどの原子核に外部から中性子を衝突させ  て核分裂を起こし、原子力を放出する。この核分裂が高速度の中性子を発生するので、  これが他の原子核に衝突して核分裂を起こさせる。このように、次々に核分裂を起こす  反応を連鎖反応といい、核分裂は連鎖反応により爆発的に大きい原子力を放出するので  ある。
【００２２】    原子力発電のあらましは、核燃料、原子炉（熱エネルギー）、熱交換器（蒸気エネル  ギー）、蒸気タービン（機械エネルギー）、発電機（電気エネルギー）となる。
【発明を実施するための形態】
【００２３】    本発明は、バッテリー（電気エネルギー）、モーター（発電機））、モーター（発電  機）の構成で、スタート時のバッテリーは二つの発電機が回転するとバッテリーは不要  です。
【００２４】    上記の「００２３」でバッテリーが水素発生装置で必要とする。その装置は、バッテ  リーの電極（＋）と電極（−）に希土類である材料を使用し、その中に水を循環させる  構造となる（これをドライ式）。
【００２５】    上記「００２４」で示した他に、水に中に電極（＋）、電極（−）にやはり希土類の  材料で水素発生装置である。
【００２６】    本発明は、磁力を使用した磁石を作成し、Ｓ（極）、Ｎ（極）の固定子と回転子にＳ  Ｎ極を数個又は数十か所配置してコイルを数か所に配置して回転子として回転させると  電流が流れる。
【００２７】    本発明は、地球は磁力で自転していることから、Ｓ−Ｓ、Ｎ−Ｎは反発し、Ｓ−Ｎ、  Ｎ−Ｓは引き付ける。これらのことから反発するのを連続にする配列は（回転）するこ  とが電力エネルギーである。
【発明の効果】
【００２８】    本発明は、金属から結晶中に水素原子によって電子がもち込まれるのであるから、母  体金属の電子状態に変化が起こる。
【００２９】    金属結晶中の水素は、１）中性原子（あるいは分子）として存在する。２）１個の電  子を放出して電子の伝導体に移って自ら正電荷を持つ陽子（Ｈ＋、プロトン）になる。
３）余分に電子をもらって陰イオンＨ−となるなどの状態が考えられる。
【００３０】    本発明の金属水素化物はエネルギー変換機能を有する材料であるが、その利用目的に  適した多様な特性から、解離熱、生成熱などの考慮する必要がある。
【００３１】    また、金属あるいは合金の水素化物が実用的でなければならない。その条件として次  の項目が考えられる。１）活性化が容易で、水素吸蔵量が大きい。２）吸蔵・解離過程  間での平衡水素圧差（ヒステリアス）が小さい。３）広い組成範囲にわたって一定の平  衡圧を有し、水素貯蔵用の場合、室内付近での解離圧が２〜３気圧である。４）水素の  吸蔵・放出速度が大きい。５）水素吸蔵・放出を繰り返しても合金の微粉化が少なく、  しかも性能が劣化しない。６）酸素、水分などに対する安定性が大きい。７）金属ある  いは合金が安価であること。
【００３２】    本発明は、水素ガスの分離化・貯蔵化を装置の単純化や電力のシステム化を単純化し  た特徴としたものである。